(57)【要約】【課題】原稿に付加されているＩＣタグなどの情報を読み取る機能を備えた複写装置において、原稿のＩＣタグに記憶されている複写管理情報を、記録紙に付加されているＩＣタグに書き込む。【解決手段】複写装置（デジタル複合機）１は、所定の読取位置にセットされた原稿から画象を読み取るＣＣＤ２ａと、前記原稿に付加さているＩＣタグの複写管理情報（複写可能枚数など）を読み取るＩＣタグＩ／Ｆ２ｃと、ＩＣタグが付加されたＩＣタグ付き用紙１７を給紙するための第２給紙トレイ１２と、第２給紙トレイ１２から給紙される用紙１７に前記原稿から読み取った画像データを記録する印字部６ｂと、ＩＣタグＩ／Ｆ２ｃにより読み取った複写管理情報をＩＣタグ付き用紙１７のＩＣタグに書き込むＩＣタグ書込手段１４とを備える。デジタル複合機１は、印字部６ｂとＩＣタグ書込手段１４により前記原稿の複製物を作成する。【選択図】図１
2007006316.tif 000002
【特許請求の範囲】
【請求項１】
原稿から読み取った画像データを記録紙に複写する複写装置において、前記原稿に付加されている情報記憶媒体の情報を読み取る読取手段と、他の情報記憶媒体が付加された記録紙を給紙するための給紙手段と、該給紙手段から給紙される記録紙に前記原稿から読み取った画像データを記録する画像記録手段と、前記読取手段により読み取った情報を前記記録紙に付加された他の情報記憶媒体に書き込む書込手段とを備え、前記画像記録手段と前記書込手段により前記原稿の複製物を作成することを特徴とする複写装置。
【請求項２】
前記情報記憶媒体及び前記他の情報記憶媒体は、ＩＣタグで構成されていることを特徴とする請求項１に記載の複写装置。
【請求項３】
他の情報記憶媒体が付加されていない記録紙を給紙するための他の給紙手段と、前記原稿に情報記憶媒体が付加されているかどうかを判定する手段と、前記原稿に情報記憶媒体が付加されていると判定された場合、前記給紙手段と前記他の給紙手段の中から、前記給紙手段を選択する手段とを備えていることを特徴とする請求項１又は２に記載の複写装置。
【請求項４】
前記情報記憶媒体の情報は、前記原稿あるいは前記複製物の複写を管理するための複写管理情報であり、前記画像記録手段は、前記他の給紙手段が選択された場合、前記他の給紙手段から給紙される記録紙に対して、前記原稿あるいは前記複製物の複写管理情報に基づいて画像記録を行うことを特徴とする請求項３に記載の複写装置。
【請求項５】
前記複写管理情報は、複写の可否、複写可能な枚数、複写可能な用紙サイズ、複写可能な期限のいずれか複数を含むことを特徴とする請求項４に記載の複写装置。
【請求項６】
前記原稿あるいは前記複製物の複写可能枚数に基づいて前記他の給紙手段から給紙される記録紙に画像記録を行った後、前記書込手段は、前記画像記録した枚数分を前記原稿あるいは前記複製物の複写可能枚数から減じ、該減じた複写可能枚数を前記原稿あるいは前記複製物の情報記憶媒体に書き込むことを特徴とする請求項５に記載の複写装置。
【請求項７】
前記複写管理情報は、前記原稿あるいは前記複製物の複写に対する課金を管理するための課金管理情報を含み、前記複写装置は、前記原稿あるいは前記複製物の複写枚数に応じた課金を行うための課金装置と接続する手段と、前記課金管理情報に従って、前記原稿あるいは前記複製物の複写に対して課金するように前記課金装置を制御する手段とを備えていることを特徴とする請求項４に記載の複写装置。
【発明の詳細な説明】
【技術分野】
【０００１】
本発明は、複写装置、より詳細には、原稿に付加されているＩＣタグの情報を読み取る機能を備えた複写装置に関する。
【背景技術】
【０００２】
従来、原稿から読み取った画像データを記録紙に複写する複写装置において、機密原稿の複写を制限するために、複写牽制情報などを原稿に付加しておくことが行われている。例えば、特許文献１には、原稿に予め特定の原稿複写禁止情報を付加しておき、その複写が行えないようにしたものが開示されている。これは、原稿複写禁止情報検知手段が原稿複写禁止情報読取手段からの信号より原稿複写禁止情報を検知して、この検知が給紙より前、給紙以後で顕像の転写より前、顕像の転写以後のいずれでなされたかを判断し、それぞれのタイミングに応じて原稿の複写を禁止するようにしたものである。
【特許文献１】特開平４−２１８６５号公報
【発明の開示】
【発明が解決しようとする課題】
【０００３】
ここで、特定の管理者や担当者等（以下、担当者等という）に機密原稿を配布するために、上記特許文献１に記載されているような、原稿複写禁止情報付きの機密原稿の複製物が複数枚作成された場合、各複製物には原稿複写禁止情報が付加されているために、担当者等により、これ以上の機密原稿の複製物が作成されることを防止することができる。一方、原稿複写禁止情報付きの原稿あるいは複製物からさらに複製を作成することはできないため、上記原稿あるいは複製物からさらに複製を作成する必要がある場合、原稿複写禁止情報が付加されていない状態の機密原稿から必要枚数の複製を作成するか、あるいは、パーソナルコンピュータ等に保存されている機密原稿の電子データを印刷出力して必要枚数の複製を作成するなどの処理を行う必要があり、機密原稿の複製を禁止するという目的から、どうしても取り扱いには不便な面があった。
【０００４】
本発明は、上述のごとき実情に鑑みてなされたものであり、原稿に付加されている情報記憶媒体（ＩＣタグなど）の情報を読み取る機能を備えた複写装置において、原稿のＩＣタグに記憶されている情報（複写可能枚数などの複写管理情報）を、記録紙に付加されているＩＣタグに書き込み可能とし、原稿あるいはその複製物のＩＣタグに記憶されている複写管理情報に基づいて、原稿あるいは複製物の複製を許可、制限、管理し、さらには、課金などを行うことができるようにすること、を目的とする。
【課題を解決するための手段】
【０００５】
上記課題を解決するために、本発明の第１の技術手段は、原稿から読み取った画像データを記録紙に複写する複写装置において、前記原稿に付加されている情報記憶媒体の情報を読み取る読取手段と、他の情報記憶媒体が付加された記録紙を給紙するための給紙手段と、該給紙手段から給紙される記録紙に前記原稿から読み取った画像データを記録する画像記録手段と、前記読取手段により読み取った情報を前記記録紙に付加された他の情報記憶媒体に書き込む書込手段とを備え、前記画像記録手段と前記書込手段により前記原稿の複製物を作成することを特徴としたものである。
【０００６】
第２の技術手段は、第１の技術手段において、前記情報記憶媒体及び前記他の情報記憶媒体は、ＩＣタグで構成されていることを特徴としたものである。
【０００７】
第３の技術手段は、第１又は第２の技術手段において、他の情報記憶媒体が付加されていない記録紙を給紙するための他の給紙手段と、前記原稿に情報記憶媒体が付加されているかどうかを判定する手段と、前記原稿に情報記憶媒体が付加されていると判定された場合、前記給紙手段と前記他の給紙手段の中から、前記給紙手段を選択する手段とを備えていることを特徴としたものである。
【０００８】
第４の技術手段は、第３の技術手段において、前記情報記憶媒体の情報は、前記原稿あるいは前記複製物の複写を管理するための複写管理情報であり、前記画像記録手段は、前記他の給紙手段が選択された場合、前記他の給紙手段から給紙される記録紙に対して、前記原稿あるいは前記複製物の複写管理情報に基づいて画像記録を行うことを特徴としたものである。
【０００９】
第５の技術手段は、第４の技術手段において、前記複写管理情報は、複写の可否、複写可能な枚数、複写可能な用紙サイズ、複写可能な期限のいずれか複数を含むことを特徴としたものである。
【００１０】
第６の技術手段は、第５の技術手段において、前記原稿あるいは前記複製物の複写可能枚数に基づいて前記他の給紙手段から給紙される記録紙に画像記録を行った後、前記書込手段は、前記画像記録した枚数分を前記原稿あるいは前記複製物の複写可能枚数から減じ、該減じた複写可能枚数を前記原稿あるいは前記複製物の情報記憶媒体に書き込むことを特徴としたものである。
【００１１】
第７の技術手段は、第４の技術手段において、前記複写管理情報は、前記原稿あるいは前記複製物の複写に対する課金を管理するための課金管理情報を含み、前記複写装置は、前記原稿あるいは前記複製物の複写枚数に応じた課金を行うための課金装置と接続する手段と、前記課金管理情報に従って、前記原稿あるいは前記複製物の複写に対して課金するように前記課金装置を制御する手段とを備えていることを特徴としたものである。
【発明の効果】
【００１２】
本発明によれば、原稿に付加されている情報記憶媒体（ＩＣタグなど）の情報を読み取る機能を備えた複写装置において、原稿のＩＣタグに記憶されている複写可能枚数などの複写管理情報を、記録紙に付加されているＩＣタグに書き込みできるため、原稿と同じ複写管理情報を持つ複製物を作成することができる。また、原稿あるいはその複製物のＩＣタグに記憶されている複写管理情報に基づいて、原稿あるいは複製物の複製を許可、制限、管理し、さらには、課金などを行うことができるため、複製物においても原稿同様の複写管理を行うことができる。
【発明を実施するための最良の形態】
【００１３】
図１は、本発明の一実施形態に係る複写装置の概略構成例を示すブロック図で、図中、１は複写装置、２０は電話回線網、３０はＬＡＮ等で構成されたネットワーク、２１は電話回線網２０に接続されたファクシミリ装置、３１，３２はネットワーク３０に接続された端末装置、４０はインターネット、４１はインターネット４０に接続されたファクシミリ装置、４２はインターネット４０に接続された端末装置を示す。複写装置１は、ファクシミリ装置２１，４１との間でＦＡＸによる画像データの送受信を可能とし、端末装置３１，３２，４２との間で電子メール等を利用した画像データの送受信を可能とする。ここで、本発明の画像データは、画像データに限らず、文書データ、あるいは画像及び文書からなるデータを含むものとする。
【００１４】
尚、本実施形態の複写装置１としては、スキャナ機能、コピー機能、ファクシミリ機能、及びプリンタ機能のいずれか複数の機能を備えたデジタル複合機を適用した場合を代表例とし、以下、デジタル複合機１として説明する。
【００１５】
図１において、デジタル複合機１は、原稿を読み取って画像データを入力する画像読み取り部２（ＩＣＵ：イメージコントロールユニット）と、デジタル複合機１が備える各機能を制御する機器制御部３と、ユーザ入力を受け付ける操作部（ＯＣＵ：オペレーションコントロールユニット）４と、ＬＡＮ等のネットワーク３０を介して端末装置３１，３２と通信し、インターネット４０を介してファクシミリ装置４１，端末装置４２と通信する通信部５と、画像データの印刷処理を行うデータ処理手段である画像形成部（ＰＣＵ：プロセスコントロールユニット）６と、画像データを記憶するためのハードディスク（ＨＤ）７と、デジタル複合機１の制御情報や設定情報などを記憶するメモリである管理部８と、ＨＤ７内の画像データを消去する消去手段９と、電話回線網２０を介してファクシミリ装置２１と通信するためのＦＡＸモデム１０と、を備えている。
【００１６】
また、デジタル複合機１は、デジタル複合機１に対して着脱可能に装着される第１給紙トレイ１１（本発明の他の給紙手段）、第２給紙トレイ１２（本発明の給紙手段）、及び排紙トレイ１３を備えている。後述の図２に示すように、第１給紙トレイ１１には、情報記憶媒体であるＩＣタグが付加されていない普通紙（以下、普通紙１６）がセットされ、第２給紙トレイ１２には、ＩＣタグが付加された用紙（以下、ＩＣタグ付き用紙１７）がセットされている。
【００１７】
以下、図１に示すデジタル複合機１の各部について詳細に説明する。まず、画像読み取り部（ＩＣＵ）２は、原稿を読み取って画像データを入力する入力手段であり、例えば、画像読み取り手段としてのＣＣＤ（Ｃｈａｒｇｅ Ｃｏｕｐｌｅｄ Ｄｅｖｉｃｅ：電荷結合素子）２ａと、原稿台や自動原稿送り装置（ＡＤＦ）などにセットされた原稿を検知する原稿検知センサ２ｂと、原稿に付加されたＩＣタグを検知してその情報を読み取るＩＣタグインタフェース（ＩＣタグＩ／Ｆ）２ｃとを備えている。
【００１８】
原稿に付加されているＩＣタグは、ＲＦ（Ｒａｄｉｏ  Ｆｒｅｑｕｅｎｃｙ）回路，制御回路，メモリを備えたＲＦＩＤの素子から構成され、各種データ等を格納可能な小型の記憶媒体である。このＩＣタグは通常電源を備えていないため、ＩＣタグＩ／Ｆ２ｃから送られてくる電波を受信して、電磁誘導などの方法で電力を発生させる。ＲＦ回路及びメモリは、各々制御回路に接続される。ＲＦ回路は、ＩＣタグＩ／Ｆ２ｃからの電波を受信するためのアナログ回路であり、制御回路はＲＦ回路を介して変調処理及び復調処理するなどのデータ処理を行うデジタル回路である。メモリには、原稿の複写を管理するための複写管理情報が記憶されている。この複写管理情報の詳細については後述する。
【００１９】
また、ＩＣタグＩ／Ｆ２ｃは、原稿に付加されたＩＣタグとの間で無線を介して通信を行うことができる。ＩＣタグＩ／Ｆ２ｃは、送信信号に対する所定の変調処理を行う変調回路、変調された変調電波をＩＣタグに送信する送信制御部、ＲＦ反応に応じてＩＣタグから返信される複写管理情報を受信する受信制御部、受信した変調電波に対する所定の復調処理を行う復調回路、ＩＣタグとの通信を送信制御部及び受信制御部を介して行うためのアンテナとから構成されている。このようにして読み取られた複写管理情報は、後述するＩＣタグ書込手段１４により、第２給紙トレイ１２から給紙されるＩＣタグ付き用紙１７のＩＣタグに書き込まれる。
【００２０】
操作部（ＯＣＵ）４は、各種入力キーなどを備えた入力部４ａと、ＬＣＤ（Ｌｉｑｕｉｄ  Ｃｒｙｓｔａｌ  Ｄｉｓｐｌａｙ：液晶ディスプレイ）などの表示部４ｂとを備えており、デジタル複合機１に対して操作の入力や、各種設定の入力を行う。また、入力部４ａには、デジタル複合機１を利用する利用者の認証情報を入力する認証情報入力手段を配置するようにしてもよい。利用者の認証情報の入力方法としては、例えば、利用者コードの直接入力、ＩＤカードの情報読み取り入力、利用者の生体情報（指紋などの）読み取り入力など様々である。これらのいずれかの方法により、デジタル複合機１の利用者認証を行えるようにする。
【００２１】
画像形成部（ＰＣＵ）６は、画像データを処理（出力）するデータ処理（出力）手段であり、ページメモリであるメモリ６ａと、ＬＳＵ（Ｌａｓｅｒ  Ｓｃａｎｎｉｎｇ  Ｕｎｉｔ：レーザ走査ユニット）などの印字部６ｂと、第１給紙トレイ１１と、第２給紙トレイ１２、排紙トレイ１３と、ＩＣタグＩ／Ｆ２ｃにより読み取った複写管理情報をＩＣタグ付き用紙１７のＩＣタグに書き込むＩＣタグ書込手段１４とを備えている。画像形成部６は、メモリ６ａに一旦記憶された画像データをＨＤ７に記憶し、また、ＨＤ７に記憶した画像データを復号してメモリ６ａに送り、印字部６ｂに転送して印字出力する。
【００２２】
ＨＤ７は、入力された画像データを一時記憶するための記憶手段である。このＨＤ７は、磁気記憶媒体を備えた記憶手段として構成することで、大量の画像データを蓄積して順次処理していくことが可能となり、複数のユーザからの指示を効率良く処理することができる。
【００２３】
課金装置Ｉ／Ｆ１５は、デジタル複合機１での複写処理に対して課金するための課金装置（図３に示す）と接続するインタフェースである。機器制御部３は、例えば、コピー１枚あたり１０円などとしてコピー枚数に応じて課金するように課金装置を制御する。課金装置としては、例えば、コイン式やカード（プリペイドカードなど）式のものを用いることができる。
【００２４】
以下、デジタル複合機１が搭載している画像処理モードに関する動作例について簡単に説明する。
（コピーモード）
本実施形態に係るデジタル複合機１を複写機として利用する場合には、画像読み取り部２で読み取られた原稿の画像データが、画像形成部６から複写物として出力される。
【００２５】
画像読み取り部２には、ＣＣＤ２ａが備えられており、読み取り位置にセットされた原稿の画像を電子的に読み取ることができる。そして、読み取られた原稿の画像データは、メモリ６ａ上に出力データとして完成され、一旦ＨＤ７へ記憶される。原稿が複数ある場合は、この読み取り、記憶の動作が繰り返される。その後、操作部４から指示された処理モードに基づいて、ＨＤ７に記憶された画像データが適切なタイミングで順次読み出されてメモリ６ａに送られる。そして、印字部６ｂへの書き込みタイミングに合わせて画像データがメモリ６ａから印字部６ｂへと転送される。
【００２６】
また、読み取った画像データを複数枚印字する場合も、同様に出力データとしてページ単位でＨＤ７へ記憶され、出力するモードに合わせてＨＤ７からメモリ６ａに送られ、出力枚数の分だけ繰り返し、印字部６ｂへの書き込みタイミングに合わせて印字部６ｂへ転送される。
【００２７】
（プリンタモード）
次に、本実施形態に係るデジタル複合機１をプリンタとして利用する場合には、通信部５から受信した画像データがメモリ６ａなどを介して画像形成部６から出力される。
【００２８】
通信部５は、有線あるいは無線を利用してネットワーク３０と接続されており、ネットワーク３０上に接続された外部機器である端末装置３１，３２から画像データを受信する。このように受信された画像データは、出力する画像データとしてページ単位にメモリ６ａに送られ、一旦ＨＤ７へ記憶される。そして、画像データは、再びＨＤ７からメモリ６ａに送られ、前述した複写機として利用する場合と同様にして印字部６ｂへと転送される。
【００２９】
（スキャナモード）
また、本実施形態に係るデジタル複合機１をネットワークスキャナとして利用する場合には、画像読み取り部２において読み取られた原稿の画像データを、通信部５からネットワーク３０を介して任意の端末装置３１，３２へ送信することができる。ここでも、画像読み取り部２に備えられたＣＣＤ２ａにより原稿を電子的に読み取る。そして、読み取られた原稿の画像データは、メモリ６ａ上に出力データとして完成され、一旦ＨＤ７へ記憶される。そして、再びＨＤ７からメモリ６ａに送られ、操作部４を介して指示された送信先との通信を確立させた上で通信部５から目的の送信先へと送信される。
【００３０】
（ファクシミリモード）
さらに、通信部５は、ネットワーク３０，インターネット４０を介してファクシミリ装置４１と接続されている。また、ＦＡＸモデム１０は、電話回線網２０を介してファクシミリ装置２１と接続するようにしてもよい。本実施形態に係るデジタル複合機１をファクシミリ装置として利用する場合にも同様の動作が行われ、外部機器との間で画像データの送信及び受信が可能となる。
【００３１】
本実施形態に係るデジタル複合機１の各構成部は、機器制御部３により制御され、操作部４に設けられたタブレット，キー群などの入力部４ａからの操作指示を監視すると共に、表示部４ｂを介してデジタル複合機１の状態に関する情報などのユーザに通知すべき情報を的確に案内表示する。また、管理部８には、機器制御部３により制御されている各構成部に関する情報が管理されており、これら情報をもとに、機器制御部３がデジタル複合機１全体の動作を制御する。
【００３２】
図２は、原稿に付加されたＩＣタグの情報を読み取って、ＩＣタグ付き用紙のＩＣタグに書き込む処理を説明するための図である。なお、本例では図１に示したデジタル複合機１の構成に基づいて説明する。第１給紙トレイ１１には、ＩＣタグが付加されていない普通紙１６がセットされ、第２給紙トレイ１２には、ＩＣタグが付加されたＩＣタグ付き用紙１７がセットされている。ＩＣタグＩ／Ｆ２ｃは、所定の読取位置にセットされた原稿に対して電波を送信し、この送信電波に応答して、原稿からの返信電波を受信した場合、セットされた原稿がＩＣタグ付き原稿１８であると判定し、一方、返信電波を受信しない場合、セットされた原稿がＩＣタグ無し原稿１９であると判定する。
【００３３】
所定の読取位置にセットされた原稿がＩＣタグ付き原稿１８であると判定された場合、ＣＣＤ２ａはＩＣタグ付き原稿１８の画像を読み取り、ＩＣタグＩ／Ｆ２ｃはＩＣタグ付き原稿１８のＩＣタグ１８ａに記憶されている複写管理情報を読み取る。また、所定の読取位置にセットされた原稿がＩＣタグ無し原稿１９であると判定された場合、ＣＣＤ２ａはＩＣタグ無し原稿１９の画像を読み取る。
【００３４】
上記複写管理情報とは、複写の可否、複写可能な枚数、複写可能な用紙サイズ、複写可能な期限、ＩＣタグ付き原稿１８の出所、ＩＣタグ付き用紙１７にコピーされていればその通し番号、などのいずれか複数の情報を含み、ＩＣタグ付き原稿１８あるいは該原稿１８をコピーした複製物（ＩＣタグ付き用紙１７）の複製を許可、制限、管理するための情報である。なお、上記通し番号は、オリジナル（原稿元）を、例えば、“０”とし、その複製物が１０枚（部）あれば、１〜１０までの番号（１／１０〜１０／１０）を付与するようにする。このとき同時にコピーした日付情報を付与するようにしてもよい。なお、本発明の複製物とは、ＩＣタグ付き原稿１８をＩＣタグ付き用紙１７に複製したものをいい、以下、しばしば複製物１７という。
【００３５】
また、上記複写管理情報によって、例えば、複写を許可／禁止する、コピー枚数を制限する、有効期限を過ぎたら複写を禁止する、あるいは、Ａ４サイズのみ，白黒コピーのみ，縮小コピーのみ，複数ページを１枚にまとめる集約コピーのみ等のように複写条件を制限することができる。
【００３６】
ＩＣタグ付き原稿１８が所定の読取位置にセットされ、原稿画像と複写管理情報が読み取られると、普通紙１６がセットされた第１給紙トレイ１１、ＩＣタグ付き用紙１７がセットされた第２給紙トレイ１２のいずれかが選択される。第１給紙トレイ１１が選択された場合、印字部６ｂが、ＩＣタグＩ／Ｆ２ｃで読み取った複写管理情報に従って、ＣＣＤ２ａで読み取った画像データを普通紙１６に印刷する。また、第２給紙トレイ１２が選択された場合、印字部６ｂがＣＣＤ２ａで読み取った画像データをＩＣタグ付き用紙１７の記録面に印刷し、ＩＣタグ書込手段１４がＩＣタグＩ／Ｆ２ｃで読み取った複写管理情報をＩＣタグ付き用紙１７のＩＣタグ１７ａに書き込む。
【００３７】
ここで、ＩＣタグＩ／Ｆ２ｃにより、所定の読取位置にセットされた原稿がＩＣタグ付き原稿１８であると判定された場合、第１給紙トレイ１１と第２給紙トレイ１２の中から、ＩＣタグ付き用紙１７がセットされた第２給紙トレイ１２を選択するように制御してもよい。この給紙トレイの自動選択処理は、機器制御部３によって実行される。
【００３８】
また、ＩＣタグＩ／Ｆ２ｃにより、所定の読取位置にセットされた原稿がＩＣタグ無し原稿１９であると判定された場合、機器制御部３は、普通紙１６がセットされた第１給紙トレイ１１を選択するように制御し、印字部６ｂは、普通紙１６に対して画像記録を行う。
【００３９】
また、ＩＣタグＩ／Ｆ２ｃにより、所定の読取位置にセットされた原稿がＩＣタグ付き原稿１８であると判定されても、ＩＣタグ付き用紙１７にコピーする必要がない場合には、普通紙１６がセットされた第１給紙トレイ１１を選択できるようにしてもよい。この場合、印字部６ｂは、ＩＣタグ１８ａから読み取った複写管理情報に従って、普通紙１６に対して画像記録を行う。
【００４０】
ここで、ＩＣタグ付き原稿１８あるいは複製物１７の複写可能枚数に基づいて第１給紙トレイ１１から給紙される普通紙１６に画像記録を行った後、ＩＣタグ書込手段１４は、上記画像記録した枚数分を、ＩＣタグ付き原稿１８あるいは複製物１７の複写可能枚数から減じ、減じた複写可能枚数をＩＣタグ付き原稿１８あるいは複製物１７のＩＣタグに書き込むようにしてもよい。例えば、複写可能枚数が“１０枚”で設定され、“６枚”の普通紙１６にコピーしたとすると、残り複写可能枚数である“４枚”をＩＣタグ付き原稿１８あるいは複製物１７のＩＣタグに書き込む。
【００４１】
以上、複写管理情報を記憶する情報記憶媒体としてＩＣタグを中心に説明したが、ＩＣタグの変わりにバーコードあるいは２次元コードなどを利用して複写管理情報をコード化して記憶するようにしてもよい。この場合、デジタル複合機１は、これらコード情報を読み書きするためのリーダ／ライタ手段を備えるようにすればよい。
【００４２】
図３は、デジタル複合機１と課金装置とが接続されたシステムの構成例を示す図である。デジタル複合機１は、デジタル複合機１での複写処理に対して課金するための課金装置５０と接続されている。課金装置５０は、課金情報を表示するための表示部５１と、ユーザ操作を入力するための操作パネル５２と、コインあるいはプリペイドカードを投入する投入部５３と、制御プログラム等を格納するＲＯＭ５４と、課金装置５０全体を制御するＣＰＵ５５と、制御プログラムの実行領域であるメモリ５６と、デジタル複合機１と接続するためのＩ／Ｆ５７と、を備えている。
【００４３】
デジタル複合機１のＩ／Ｆ１５は、課金装置５０のＩ／Ｆ５７と接続され、デジタル複合機１の機器制御部３によって課金装置５０における課金処理を制御する。ＩＣタグ１８ａに記憶されている複写管理情報は、ＩＣタグ付き原稿１８あるいは複製物１７の複写に対する課金を管理するための課金管理情報を含み、機器制御部３は、この課金管理情報に従って、ＩＣタグ付き原稿１８あるいは複製物１７の複写に対して課金するように課金装置５０を制御する。
【００４４】
例えば、課金管理情報は、Ａ４白黒コピー１枚あたり１０円であることを示す情報であり、ユーザは、課金装置５０の投入部５３から２００円を予め投入しておく。デジタル複合機１は、ユーザ操作に従って、ＩＣタグ付き原稿１８から普通紙１６へのコピーを実行し、Ａ４白黒コピー１０枚が作成される。このときのコピー代金は、ＩＣタグ１８ａの課金管理情報から、コピー枚数１０枚×１０円／枚＝１００円と算出され、機器制御部３は、この１００円分を差し引くように課金装置５０に指示する。課金装置５０は、機器制御部３からの指示に従って、投入金額である“２００円”から“１００円”を差し引き、残りを返金する処理を行う。
【００４５】
また、上記課金管理情報は、コピーされた枚数や、コピーの種類（カラー、白黒など）、用紙サイズ（Ａ４、Ｂ４など）などに応じてコピー代金を変化させるようにしてもよい。なお、ＩＣタグ付き原稿１８とその複製物１７で同じ課金管理情報が保持されるため、複製物１７であってもＩＣタグ付き原稿１８と同様の課金処理が実行される。
【００４６】
図４は、本発明のデジタル複合機１におけるＩＣタグの読み取り／書き込み処理の一例を説明するためのフロー図である。まず、デジタル複合機１は、所定の読取位置に原稿がセットされたことを確認し（ステップＳ１）、セットされた原稿からＲＦ反応が検出されたかどうか、すなわちＩＣタグの有無を判定し（ステップＳ２）、ＲＦ反応有り、すなわちＩＣタグ有りと判定した場合（ＹＥＳの場合）、ＩＣタグ付き原稿のＩＣタグからデータを読み取って（ステップＳ３）、読み取りが“ＯＫ”かどうかを判定し（ステップＳ４）、読み取り“ＯＫ”の場合（ＹＥＳの場合）、ＩＣタグのコピーが必要かどうか判断する（ステップＳ５）。
【００４７】
次に、上記ステップＳ５において、ＩＣタグのコピーが必要と判断した場合（ＹＥＳの場合）、ＩＣタグ付き用紙１７が第２給紙トレイ１２にセットされているかどうかを判断し（ステップＳ６）、ＩＣタグ付き用紙１７がセットされている場合（ＹＥＳの場合）、原稿の画像を読み取り（ステップＳ７）、ＩＣタグ付き用紙１７を第２給紙トレイ１２から供給し（ステップＳ８）、ステップＳ７で読み取った原稿画像をＩＣタグ付き用紙１７の記録面に記録し（ステップＳ９）、ステップＳ３で読み取ったデータをＩＣタグ付き用紙１７のＩＣタグに書き込んで（ステップＳ１０）、用紙を排紙トレイ１３に排出する（ステップＳ１１）。
【００４８】
また、ステップＳ２において、ＲＦ反応無し、すなわちＩＣタグ無しと判定した場合（ＮＯの場合）、ＩＣタグ無し原稿の画像を読み取って（ステップＳ１２）、普通紙１６を第１給紙トレイ１１から供給し（ステップＳ１３）、ステップＳ１２で読み取った原稿画像を普通紙１６に記録し（ステップＳ１４）、ステップＳ１１に移行して、用紙を排紙トレイ１３に排出する。
【００４９】
また、ステップＳ４において、読み取り“ＯＫ”でない場合（ＮＯの場合）、読み取りエラーを表示し（ステップＳ１５）、終了する。
また、ステップＳ６において、ＩＣタグ付き用紙１７が第２給紙トレイ１２にセットされていない場合（ＮＯの場合）、ＩＣタグ付き用紙１７が必要なことを通知し（ステップＳ１６）、ステップＳ６に戻り処理を繰り返す。
【００５０】
以上説明したように、本発明によれば、原稿に付加されている情報記憶媒体（ＩＣタグなど）の情報を読み取る機能を備えた複写装置において、原稿のＩＣタグに記憶されている複写可能枚数などの複写管理情報を、記録紙に付加されているＩＣタグに書き込みできるため、原稿と同じ複写管理情報を持つ複製物を作成することができる。また、原稿あるいはその複製物のＩＣタグに記憶されている複写管理情報に基づいて、原稿あるいは複製物の複製を許可、制限、管理し、さらには、課金などを行うことができるため、複製物においても原稿同様の複写管理を行うことができる。
【図面の簡単な説明】
【００５１】
【図１】本発明の一実施形態に係る複写装置の概略構成例を示すブロック図である。
【図２】原稿に付加されたＩＣタグの情報を読み取って、ＩＣタグ付き用紙のＩＣタグに書き込む処理を説明するための図である。
【図３】デジタル複合機と課金装置とが接続されたシステムの構成例を示す図である。
【図４】本発明のデジタル複合機におけるＩＣタグの読み取り／書き込み処理の一例を説明するためのフロー図である。
【符号の説明】
【００５２】
１…複写装置（デジタル複合機）、２…画像読み取り部、２ａ…ＣＣＤ、２ｂ…原稿検知センサ、２ｃ…ＩＣタグＩ／Ｆ、３…機器制御部、４…操作部、４ａ…入力部、４ｂ…表示部、５…通信部、６…画像形成部、６ａ…メモリ、６ｂ…印字部（ＬＳＵ）、７…ハードディスク（ＨＤ）、８…管理部、９…消去手段、１０…ＦＡＸモデム、１１…第１給紙トレイ、１２…第２給紙トレイ、１３…排紙トレイ、１４…ＩＣタグ書込手段、１５…課金装置Ｉ／Ｆ、１６…普通紙、１７…ＩＣタグ付き用紙、１８…ＩＣタグ付き原稿、１７ａ，１８ａ…ＩＣタグ、１９…ＩＣタグ無し原稿、２０…電話回線網、２１，４１…ファクシミリ装置、３０…ネットワーク、３１，３２，４２…端末装置、４０…インターネット、５０…課金装置、５１…表示部、５２…操作パネル、５３…投入部、５４…ＲＯＭ、５５…ＣＰＵ、５６…メモリ、５７…Ｉ／Ｆ。
【図１】
2007006316.tif 000003
【図２】
2007006316.tif 000004
【図３】
2007006316.tif 000005
【図４】
2007006316.tif 000006